(57)【要約】【課題】エレメントの外径より径大な径大係止部が、貫通孔周辺のエレメント部分に形成されたアンテナ、及びその製造方法を提供することを目的とする。【解決手段】ブーム２にエレメント３が挿通された状態で、エレメント３の一側の開口部から、円筒形状の膨張管５を挿入する。そして、エレメント３の両端から突状のポンチｘ，ｘを挿入し、該ポンチｘ，ｘを膨張管５に圧入して、膨張管５を拡開する。そして、波及的に膨張管５周囲のエレメント３を外方へ変形させる。そして、この変形部を貫通孔８の径に比して径大とし、かつ貫通孔８周縁に密接させて、貫通孔８周辺に径大係止部４を形成する。【選択図】  図４
2004260651.tif 000002
【特許請求の範囲】
【請求項１】
筒状のブームと、
該ブームに形成された複数の貫通孔に夫々挿通されて、ブームの軸方向に対して略直交状に列設された複数の筒状エレメントとからなるアンテナにおいて、
ブームの貫通孔周辺に位置するエレメント部分の内空部に、外径が該エレメントの内径と略等しい膨張管が挿入されていると共に、
前記膨張管が拡開されて、波及的に該膨張管周囲のエレメントが外方へ変形したことにより、貫通孔径よりも径大で、かつ貫通孔周縁に密接した径大係止部が前記エレメント部分に形成されてなることを特徴とするアンテナ。
【請求項２】
全長がブームの外径よりも長い単一の膨張管が、両端が夫々ブーム外に位置するようにエレメント内空部に挿入されていると共に、
ブーム外に位置する膨張管部分及びブーム内に位置する膨張管部分が夫々拡開されることによって、ブーム内外に径大係止部が夫々形成され、この内外の径大係止部により貫通孔周縁が挟持されてなることを特徴とする請求項１記載のアンテナ。
【請求項３】
ブームに形成された貫通孔の孔形が楕円であり、該貫通孔に挿通されたエレメントの縦断面形状が略真円である構成にあって、
楕円形の貫通孔周縁に、径大係止部が密接したものであることを特徴とする請求項１又は請求項２記載のアンテナ。
【請求項４】
貫通孔が軸方向に複数列設した筒状のブームに、両端が開口する筒状エレメントを前記貫通孔に夫々挿通して、ブームの軸方向に対して略直交状にエレメントを複数列設したアンテナの製造方法にあって、
エレメントの内空部に、外径が該エレメントの内径と略等しい膨張管を挿入すると共に、膨張管が挿入されたエレメントがブームの貫通孔に挿通された状態で、エレメントの両端から突状のポンチを内空部に夫々挿入し、ブームの貫通孔周辺で各ポンチの先端を膨張管に夫々圧入して膨張管を拡開し、波及的に該膨張管周囲のエレメント部分を外方へ変形させて、貫通孔径よりも径大で、かつ貫通孔周縁と密接する径大係止部を形成し、該径大係止部によりエレメントをブームに保持するようにしたことを特徴とするアンテナの製造方法。
【請求項５】
全長がブームの外径よりも長い単一の膨張管をエレメントの内空部に挿入し、該膨張管の両端が共にブーム外となる位置でポンチを膨張管に圧入し、ブーム外に位置する膨張管部分を拡開してブーム外に径大係止部を形成した後、さらにポンチを圧入してブーム内に位置する膨張管部分も拡開してブーム内に径大係止部を形成して、ブーム内外に形成された各径大係止部によりブームの貫通孔周縁を挟持するようにしたことを特徴とする請求項４記載のアンテナの製造方法。
【発明の詳細な説明】
【０００１】
【発明の属する技術分野】
本発明は、テレビ電波の受信等を行う場合に、屋外に設置して用いられるアンテナの製造方法に関する。
【０００２】
【従来の技術】
テレビ電波等の受信を行う屋外用のアンテナは良く知られている。かかる屋外用のアンテナＡは、アルミニウム等の金属材料からなり、図８に示されるように、筒状のブームａと、このブームａに形成された複数の貫通孔に挿通してブームａの軸方向に略直交させた複数の杆状のエレメントｂとからなる構成が一般的である。かかる構成にあって、各エレメントｂをブームａに離脱不能に保持する手段としては、ブームａとエレメントｂとを、相互が交わる箇所ごとにビスｃ止めして相互を螺着して保持する手段が一般的に普及している。
【０００３】
ここで、上述の構成はビス止め作業が煩わしい等の理由から生産性に問題があるため、本発明者は、既にビスを用いないアンテナの製造方法を提案済みである（特許文献１参照。）。
【０００４】
【特許文献１】
特開２００３−４６３０９号公報
【０００５】
【発明が解決しようとする課題】
しかしながら、特開２００３−４６３０９号公報に記載の構成は、ブームの貫通孔と、該貫通孔に挿通されたエレメントとの間に遊びが生じやすく、貫通孔内周縁とエレメント外面とが強固に密接しないために、エレメントがその周方向に回転しやすいという問題があった。また、近年のデジタル放送の一般家庭への本格的な導入に伴い、屋外用のアンテナの需要は益々増え、更なるアンテナの生産性向上が強く切望されていた。
【０００６】
そこで本発明は、これらの課題を解決し得る、エレメントがブームに回転不能に保持されるアンテナ、及び生産性の高いアンテナの製造方法を提供することを目的とする。
【０００７】
【課題を解決するための手段】
本発明は、筒状のブームと、該ブームに形成された複数の貫通孔に夫々挿通されて、ブームの軸方向に対して略直交状に列設された複数の筒状エレメントとからなるアンテナにおいて、ブームの貫通孔周辺に位置するエレメント部分の内空部に、外径が該エレメントの内径と略等しい膨張管が挿入されていると共に、前記膨張管が拡開されて、波及的に該膨張管周囲のエレメントが外方へ変形したことにより、貫通孔径よりも径大で、かつ貫通孔周縁に密接した径大係止部が前記エレメント部分に形成されてなることを特徴とするアンテナである（請求項１）。
【０００８】
かかる構成にあっては、前記エレメント部分に、貫通孔よりも径大な径大係止部が形成されるため、径大係止部が貫通孔に係止されて、エレメントがブームに保持されることとなる。さらに、この径大係止部が貫通孔周縁に密接したものとすることにより、エレメントがブームに対してガタつくことなく保持され、エレメントが貫通孔内で周方向に回転することもなくなる。
【０００９】
また、全長がブームの外径よりも長い単一の膨張管が、両端が夫々ブーム外に位置するようにエレメント内空部に挿入されていると共に、ブーム外に位置する膨張管部分及びブーム内に位置する膨張管部分が夫々拡開されることによって、ブーム内外に径大係止部が夫々形成され、この内外の径大係止部により貫通孔周縁が挟持されてなる構成が提案される（請求項２）。
【００１０】
かかる構成にあっては、貫通孔周縁が、ブーム外に形成された径大係止部とブーム内に形成された径大係止部とにより挟持されるため、エレメントがその軸方向へ移動したり、周方向に回転したりすることを防止することが可能となる。したがって、より一層強固に、エレメントがブームに保持されることとなる。
【００１１】
さらに、ブームに形成された貫通孔の孔形が楕円であり、該貫通孔に挿通されたエレメントの縦断面形状が略真円である構成にあって、楕円形の貫通孔周縁に、径大係止部が密接した構成としても良い（請求項３）。
【００１２】
かかる構成にあっては、貫通孔内に形成される径大係止部の断面形状は、貫通孔と同じ楕円形状となっている。したがって、楕円形状の貫通孔に、断面が楕円形状の径大係止部が嵌合された構成であるから、エレメントが貫通孔内で周方向に回転することがない。
【００１３】
ここで、上述のアンテナは、以下の製造方法により製造することができる。
すなわち本発明は、貫通孔が軸方向に複数列設した筒状のブームに、両端が開口する筒状エレメントを前記貫通孔に夫々挿通して、ブームの軸方向に対して略直交状にエレメントを複数列設したアンテナの製造方法にあって、エレメントの内空部に、外径が該エレメントの内径と略等しい膨張管を挿入すると共に、膨張管が挿入されたエレメントがブームの貫通孔に挿通された状態で、エレメントの両端から突状のポンチを内空部に夫々挿入し、ブームの貫通孔周辺で各ポンチの先端を膨張管に夫々圧入して膨張管を拡開し、波及的に該膨張管周囲のエレメント部分を外方へ変形させて、貫通孔径よりも径大で、かつ貫通孔周縁と密接する径大係止部を形成し、該径大係止部によりエレメントをブームに保持するようにしたことを特徴とするアンテナの製造方法である（請求項４）。
【００１４】
かかる構成にあって、エレメントに挿入された膨張管は、その外径がエレメントの内径と略等しいため、エレメント内空部で膨張管が変形すると、かかる膨張管周囲のエレメントまでも膨張管の変形に伴って変形することとなる。したがって、膨張管がポンチにより拡開されると、これに伴ってエレメントが径大となる。そして、この膨張管の拡開加工によって、上述の径大係止部をエレメントに形成することが可能となる。これにより、上述のアンテナを得ることができる。
【００１５】
ここで、全長がブームの外径よりも長い単一の膨張管をエレメントの内空部に挿入し、該膨張管の両端が共にブーム外となる位置でポンチを膨張管に圧入し、ブーム外に位置する膨張管部分を拡開してブーム外に径大係止部を形成した後、さらにポンチを圧入してブーム内に位置する膨張管部分も拡開してブーム内に径大係止部を形成して、ブーム内外に形成された各径大係止部によりブームの貫通孔周縁を挟持するようにした構成が提案される（請求項５）。
【００１６】
かかる構成にあっては、単一の膨張管をエレメントに挿入し、両側からポンチを圧入して所定位置で膨張管を拡開するだけで、ブーム内外に径大係止部を形成することができる。したがって、上述したようなブーム内外の径大係止部が貫通孔周縁を挟持したアンテナを効率良く製造することができる。ここで、特開２００３−４６３０９号公報に記載の従来構成は、所定の治具が必要であると共に、ブーム内にその治具を挿填させ、かつブーム内を走行させる必要があるため、製造工程が煩雑で面倒であるが、本発明にかかる製造方法にあっては、簡易構造の膨張管を拡開加工するだけでよいため、飛躍的に生産性が向上する。
【００１７】
【発明の実施の形態】
本発明にかかるアンテナ１、及びアンテナ１の製造方法を、図１〜図６に従って以下に詳細に説明する。
アンテナ１は、図１に示されるように、筒状のブーム２と、このブーム２に形成された複数の貫通孔８に夫々挿通された筒状のエレメント３とからなる。前記貫通孔８は、互いに対向するように軸方向に沿ってブーム２に列成されており、各エレメント３が貫通孔８を介して、ブーム２の軸方向に対して略直交状に差し渡されて列設されている。
【００１８】
ここで、本実施形態例にあっては、ブーム２は外径２２ｍｍ、内径２０ｍｍ、長さ６７５ｍｍであり、筒状を呈している。一方、各エレメント２は外径８ｍｍ、内径７ｍｍ、長さ１５５ｍｍであり、両端が開口した筒状を呈している。そしてブーム２には、直径８．１ｍｍの貫通孔８がブーム２の軸方向に５０ｍｍ、７０ｍｍ、８０ｍｍ又は９０ｍｍ間隔で相互が対向するように二列に列成されている。なお、この貫通孔８の形状及びエレメント３の外形は共に略真円としている。また、かかるブーム２及びエレメント３は共に、アルミニウムを主材料とする金属材料からなる。
【００１９】
次に、本発明の要部について図２に従って説明する。
本発明にかかるアンテナ１は、ブーム２とエレメント３が以下のような構成で離脱不能に保持されている。
図２に示されるように、ブーム２の貫通孔８周辺に位置するエレメント部分には、前記したエレメント３の外径Ｄ（８ｍｍ）よりも径大となった径大係止部４が形成されている。さらに詳述すると、本実施形態例にかかる径大係止部４は、ブーム２の外に形成された外側径大係止部４ａと、ブーム２内に形成された内側径大係止部４ｂとで構成される。そして、各径大係止部４は、貫通孔８の孔径よりも径大であると共に、貫通孔８の周縁と強く密接している。すなわち、ブーム２が、外側径大係止部４ａ及び内側径大係止部４ｂとに挟持されている。このように、エレメント部分に形成された径大係止部４が貫通孔８周縁と密接することにより、エレメント３がブーム２に対して係止されて、その軸方向にも周方向にも移動，回転しないこととなる。なお、図２に示されるエレメント３の内空部には、本発明にかかる膨張管５（隠れて見えない）が挿入されている。この膨張管５については後述する。
【００２０】
次に、かかる構成のアンテナ１の製造方法について説明する。
まず、ブーム２に形成された貫通孔８に、両端が開口された筒状のエレメント３を挿通する。貫通孔８は、ブーム２に軸方向に列設されており、挿通されたエレメント３はブーム２に対して略直交状となる。現時点では、エレメント３はブーム２に対して保持されておらず、軸方向に移動可能な状態にある。
【００２１】
次に、ブーム２にエレメント３が挿通された状態で、エレメント３の一側の開口部から、図３に示されるような単一の膨張管５をエレメント３の内空部に挿入する。この膨張管５は、円筒形状であって、その外径はエレメント３の内径と略一致している。具体的には、膨張管５の外径を６．８ｍｍとし、内径を３ｍｍとしている。また、全長は、ブーム２の外径よりも長く設定されており、具体的には２３ｍｍとしている。また、膨張管５の材料は純アルミニウムが採用されている。
【００２２】
そして次に、図４イに示されるように、エレメント３の両端から突状のポンチｘ，ｘを挿入する。ここで、このポンチｘの先端部ｘ１の外径は、前記膨張管５の内径である３ｍｍよりも小さく設定されおり、該先端部ｘ１を膨張管５に挿入可能としている。一方、先端部ｘ１からポンチ主軸部ｘ２にかけて、ポンチｘの外径は徐々に拡大し、ポンチ主軸部ｘ２の外径は膨張管５の内径よりも大きく設定されている。
【００２３】
そしてさらに、油圧装置等を用いて、両ポンチｘを中央に走行させて、図４ロに示されるように、膨張管５の両端が共にブーム２外となる位置でポンチｘを膨張管５に圧入する。
【００２４】
このように、ブーム２の貫通孔８周辺で各ポンチ先端部ｘ１を膨張管５に両側から圧入すると、ポンチ先端部ｘ１と膨張管５の管口６とが当接しながら、膨張管５が拡開することとなる。そして、この膨張管５が拡開されることに伴って、膨張管周囲のエレメント３が波及的に外方へ変形する。そして、この変形部を貫通孔８の孔径に比して径大とし、かつ貫通孔８周縁に密接させることにより、上述の径大係止部４を形成する。なお、図４ロに示される径大係止部４は、ブーム２外に位置する膨張管５部分が拡開されて、ブーム２外に形成されたものであるため、上述の外側径大係止部４ａとなる。
【００２５】
さらに、ポンチｘを膨張管８に圧入し続けると、図４ハに示されるように、ブーム２内の膨張管８部分が拡開し、波及的に、ブーム２内に径大係止部４が形成される。この径大係止部４は、ブーム２内に形成されるため、上述の内側径大係止部４ｂとなる。
【００２６】
そして、図４ニに示されるように、内側径大係止部４ｂが形成された位置で、ポンチｘを膨張管８及びエレメント３から抜き出す。これにより、図５に示されるように、貫通孔８周縁が外側径大係止部４ａと内側径大係止部４ｂとに挟持されたアンテナ１が得られる。そして、この径大係止部４によりエレメント３がブーム２に強固に保持されることとなる。
【００２７】
また、上述の構成に代えて、図６イに示されるように、ブーム２に形成される貫通孔８ａの形状を楕円形状とした構成が提案される。かかる構成にあって、貫通孔８ａに断面真円状のエレメント３を挿通させただけの状態では、貫通孔８ａとエレメント３とに間隙が生じている。そして、この挿通状態で、上述と同様の方法により、エレメント３の内空部で膨張管５を拡開してエレメント３を外方に変形させると、この変形部が上述の貫通孔８ａとエレメント３の間隙部分を埋めるように延成されて、図６ロに示されるように、終局的に貫通孔８ａ周縁に径大係止部４が密接した構成となる。
【００２８】
このように、楕円形状の貫通孔８ａに、断面楕円形状の径大係止部４が嵌合された構成とすることにより、エレメント３がその周方向で回転することを防止することが可能となる。
【００２９】
また、上述の構成に代えて、図７に示されるように、ブーム２内に内側径大係止部４ｂのみ形成して、エレメント３をブーム２に保持する構成としても良い。かかるアンテナ１ａを製造する場合には、全長がブーム２の外径と略等しい単一の膨張管５（隠れて見えない）をエレメント３の内空部に挿入し、膨張管５がブーム２内にある位置で、ポンチｘを膨張管５に圧入する。これにより、ブーム２内の膨張管５及びその周囲のエレメント部分だけ変形することとなり、内側径大係止部４ｂのみが形成されることとなる。かかる構成にあっても、内側径大係止部４ｂが貫通孔８周縁に密接することにより、エレメント３は、軸方向に移動したり、周方向に回転したりすることがない。
【００３０】
なお、上述の製造方法にあっては、膨張管５を挿入したエレメント３を、ブーム２に挿通させて拡開加工を実行するようにしても良いし、ブーム２にエレメント３を挿通してからエレメント３に膨張管５を挿入し、拡開加工を実行するようにしても良い。
【００３１】
また、ブーム２とエレメント３の各寸法、材料、及びブーム２とエレメント３のなす角度等は、適宜変更し得る。また、膨張管５の寸法は、エレメント３の寸法に対応して適宜変更可能である。また、膨張管５の材料についても適宜変更できる。
【００３２】
【発明の効果】
本発明にかかるアンテナは、ブームの貫通孔周辺に位置するエレメント部分の内空部に、膨張管が挿入されていると共に、該膨張管が拡開されて、波及的に該膨張管周囲のエレメントが外方へ変形したことにより、貫通孔径よりも径大で、かつ貫通孔周縁に密接した径大係止部がエレメント部分に形成されてなる構成としたから（請求項１）、ブームに対してエレメントが保持されることとなる。さらに、この径大係止部が貫通孔周縁に密接しているため、エレメントがガタつくことなくブームに保持される利点がある。また、エレメントが周方向に回転することを防止する効果もある。
【００３３】
また、かかる構成にあって、ブーム内外に径大係止部が夫々形成され、このブーム内外の径大係止部により貫通孔周縁が挟持されてなる構成とした場合には（請求項２）、貫通孔周縁に対する径大係止部の密接度が向上し、エレメントがブームにさらに強固に保持されることとなる。これにより、エレメントが軸方向へ移動したり、周方向に回転したりすることを防止できる優れた効果が生まれる。
【００３４】
また、ブームの貫通孔を楕円とし、該楕円形の貫通孔周縁に、径大係止部が密接した構成とした場合は（請求項３）、楕円形状の貫通孔に、断面が楕円形状の径大係止部が嵌合されることとなるから、エレメントが貫通孔内で周方向に回転することを防止することができる優れた効果を奏する。
【００３５】
また、本発明にかかるアンテナの製造方法は、エレメントの内空部に、膨張管を挿入すると共に、膨張管が挿入されたエレメントがブームの貫通孔に挿通された状態で、エレメントの両端から突状のポンチを内空部に夫々挿入し、ブームの貫通孔周辺で各ポンチの先端を膨張管に夫々圧入して膨張管を拡開し、波及的に該膨張管周囲のエレメント部分を外方へ変形させて、貫通孔径よりも径大で、かつ貫通孔周縁と密接する径大係止部を形成し、該径大係止部によりエレメントをブームに保持するようにした構成としたから（請求項４）、エレメントに挿入された膨張管の拡開に伴って膨張管周囲のエレメントを波及的に変形させることが可能となる。これにより、エレメントに径大係止部を形成することが可能となる。
【００３６】
さらに、全長がブームの外径よりも長い単一の膨張管をエレメントの内空部に挿入し、該膨張管の両端が共にブーム外となる位置でポンチを膨張管に圧入し、ブーム外に位置する膨張管部分を拡開してブーム外に径大係止部を形成した後、さらにポンチを圧入してブーム内に位置する膨張管部分も拡開してブーム内に径大係止部を形成して、ブーム内外に形成された各径大係止部によりブームの貫通孔周縁を挟持するようにした構成とした場合には（請求項５）、単一の膨張管をエレメントに挿入し、両側からポンチを圧入して所定位置で膨張管を拡開するだけで、ブーム内外に径大係止部を形成することができるため、貫通孔周縁が径大係止部により挟持されたアンテナを効率良く製造することができる利点がある。
【図面の簡単な説明】
【図１】アンテナ１の斜視図である。
【図２】アンテナ１の断面正面図である。
【図３】膨張管５の斜視図である。
【図４】アンテナ１を製造する方法を示す説明図である。
【図５】貫通孔８周辺の側断面図である。
【図６】イはブーム２の側面図であり、ロはアンテナ１の側面図である。
【図７】他の実施形態例のアンテナ１ａを示す断面正面図である。
【図８】従来構成のアンテナＡの斜視図である。
【符号の説明】
１，１ａ  アンテナ
２  ブーム
３  エレメント
４  径大係止部
５  膨張管
８，８ａ  貫通孔
【図１】
2004260651.tif 000003
【図２】
2004260651.tif 000004
【図３】
2004260651.tif 000005
【図４】
2004260651.tif 000006
【図５】
2004260651.tif 000007
【図６】
2004260651.tif 000008
【図７】
2004260651.tif 000009
【図８】
2004260651.tif 000010